(57)【要約】【課題】印刷用紙から直接、かつ簡単にアルバムを組み立てられるアルバムキットを提供すること目的とする。【解決手段】アルバムキット１は、印刷用紙３及び接着シール５を備えている。画像等をインクジェットプリンタによって、印刷用紙３に印刷する。次にミシン目９によって、各用紙部１１，１１に分離するとともに、ループ状のミシン目１９，１９を切り取り、綴じ孔１７，１７を形成する。そして、各用紙部１１，１１の折り曲げ用のミシン目１５によって折曲げる。続いて、各用紙部１１，１１を各辺がほぼ一致するように重ね合わせて、各用紙部の綴じ孔１７，１７を互い重ね合わせる。この重なった綴じ孔１７，１７に接着シール５，５をくぐらせて、接着シール５，５を接着すると、アルバム２３が完成する。【選択図】  図１
2004314324.tif 000002
【特許請求の範囲】
【請求項１】
表面がプリンタにて印刷可能な印刷面を備えた印刷用紙と、片面が接着性を有する接着シールとを備えたアルバムキットであって、
前記印刷用紙には、この印刷用紙から複数枚のほぼ同じ大きさの矩形状の印刷用紙部を切り離すための切断可能線が形成されており、
前記各印刷用紙部には、これら印刷用紙部の長手方向のほぼ中央部に、これら印刷用紙部の短辺とほぼ平行に折り曲げ用のガイド線が形成されるとともに、
前記各印刷用紙部には、前記折り曲げ用のガイド線の近傍に綴じ孔又はそれを形成するための切断可能線が設けられており、
これらの綴じ孔は、各印刷用紙部を分離し、前記ガイド線に沿って折り曲げて各辺がほぼ一致するように重ね合わせた冊子状態としたときに、互いにほぼ重なり合う位置に形成され、前記接着シールは、前記綴じ孔に挿入して、前記冊子の最も内側となる前記印刷用紙部及び最も外側となる前記印刷用紙部とにわたって接着可能であることを特徴とするアルバムキット。
【請求項２】
さらに、前記各印刷用紙部の両短辺付近の縁部には、切り離し可能な縁部切断可能線が形成されているとともに、
前記アルバムキットには、組み立てられたアルバムの最も外側の前記印刷用紙部の両端部であって、前記縁部切断可能線よりも、前記アルバムの綴じ側に対し外側に接着して、前記アルバムの開放側を閉じるための片面が接着性を有する閉じ用の接着シールが付属していることを特徴とする請求項１に記載のアルバムキット。
【発明の詳細な説明】
【０００１】
【発明の属する技術分野】
本発明は、アルバムキットに関する。
【０００２】
【従来の技術】
近年、デジタルカメラは急速に普及し、さらに、高精度のカラー印刷が可能なプリンタ、特に比較的、低価格のインクジェット方式のプリンタも普及してきたことから、デジタルカメラで撮影した画像をプリンタによって、印刷用紙に印刷することは一般的となりつつある。
【０００３】
そして、プリンタで印刷された印刷用紙を整理するために、アルバム、例えば印刷用紙を貼り付けるための台紙と、貼り付けられた印刷用紙の表面を覆って保護する透明な保護フィルムからなるアルバムが使用されている（例えば、特許文献１参照。）。
また、印刷用紙の枚数が少ない場合には、簡易アルバムも使用される。この簡易アルバムは、例えば、透明な樹脂製の袋を数枚重ねて、その一端側を綴じ、そして紙等の表紙で挟んだものである。
【０００４】
【特許文献１】
特開平９−２７２２７９号公報（第１図）
【０００５】
【発明が解決しようとする課題】
近年、アルバムに対するコスト低減等の要請から、より簡単な構造のアルバムが望まれ、特に、印刷用紙そのものからアルバムを簡単に組み立てられるアルバムキットが望まれている。
本発明は上記のような事情に基づいて完成されたものであって、印刷用紙から直接、かつ簡単にアルバムを組み立てられるアルバムキットを提供すること目的とする。
【０００６】
【課題を解決するための手段】
上記の目的を達成するための手段として、請求項１の発明は、表面がプリンタにて印刷可能な印刷面を備えた印刷用紙と、片面が接着性を有する接着シールとを備えたアルバムキットであって、前記印刷用紙には、この印刷用紙から複数枚のほぼ同じ大きさの矩形状の印刷用紙部を切り離すための切断可能線が形成されており、前記各印刷用紙部には、これら印刷用紙部の長手方向のほぼ中央部に、これら印刷用紙部の短辺とほぼ平行に折り曲げ用のガイド線が形成されるとともに、前記各印刷用紙部には、前記折り曲げ用のガイド線の近傍に綴じ孔又はそれを形成するための切断可能線が設けられており、これらの綴じ孔は、各印刷用紙部を分離し、前記ガイド線に沿って折り曲げて各辺がほぼ一致するように重ね合わせた冊子状態としたときに、互いにほぼ重なり合う位置に形成され、前記接着シールは、前記綴じ孔に挿入して、前記冊子の最も内側となる前記印刷用紙部及び最も外側となる前記印刷用紙部とにわたって接着可能であることを特徴とするアルバムキットである。
【０００７】
請求項２の発明は、請求項１に記載のものにおいて、さらに、前記各印刷用紙部の両短辺付近の縁部には、切り離し可能な縁部切断可能線が形成されているとともに、前記アルバムキットには、組み立てられたアルバムの最も外側の前記印刷用紙部の両端部であって、前記縁部切断可能線よりも、前記アルバムの綴じ側に対し外側に接着して、前記アルバムの開放側を閉じるための片面が接着性を有する閉じ用の接着シールが付属していることを特徴とする。
【０００８】
【発明の作用及び効果】
＜請求項１の発明＞
本請求項のアルバムキットによれば、印刷用紙から直接、かつ簡単にアルバムを組み立てられる。
すなわち、印刷用紙に印刷後、この印刷用紙から複数枚のほぼ同じ大きさの矩形状の印刷用紙部を切り離すとともに、各印刷用紙部の折り曲げ用のガイド線によって折曲げる。そして、各印刷用紙部を各辺がほぼ一致するように重ね合わせた冊子状態とすると、各印刷用紙部の綴じ孔が互いにほぼ重なり合う。この重なった綴じ孔に片面が接着性を有する接着シールを挿入し、この接着シールを冊子の最も内側となる印刷用紙部及び最も外側となる印刷用紙部とにわたって接着させてアルバムを組み立てられる。
【０００９】
また、このように作製されたアルバムの一端側は、接着シールによって綴じられているから、他の手段、例えば、紐や、ホッチキス等で綴じた場合よりも綴じ側が厚くなることはなく、アルバム自体がコンパクトとなる。
また、このアルバムキットは、印刷用紙以外には、接着シールのみが必須の構成部材であり、台紙等を必要としないためコストが低減される。
【００１０】
＜請求項２の発明＞
本請求項のアルバムキットによれば、閉じ用接着シールによって、アルバムの開放側を閉じてアルバムをコンパクトにまとめることができる。よって、運搬等に便利である。また、開放側を閉じた状態ではアルバム内部を容易に見ることはできないので、内容を秘密にできる。
【００１１】
さらに、この接着シールは、組み立てられたアルバムの最も外側の印刷用紙部の両端部であって、縁部切断可能線よりも、アルバムの綴じ側に対し外側に接着して、アルバムの開放側を閉じるためのものである。
従って、この接着シールで開放側を閉じたアルバムであっても、縁部切断可能線から印刷用紙部の縁部を切り離すと、開放側を閉じている接着シールも一緒に切り離されることとなるから、閉じられた開放側を容易に再開放することができる。
【００１２】
なお、請求項１又は請求項２に記載のものにおいて、前記綴じ孔は、前記ガイド線に沿った長いスリットであるとともに、前記接着シールは透明とすることが好ましい。このようにすると、綴じ孔は、ガイド線に沿った長いスリットであり、かつ接着シールは透明であるから、綴じ孔と接着シールが目立たなくなり、アルバムの外観がよくなる。
【００１３】
【発明の実施の形態】
以下、本発明の一実施形態について図１ないし図８を参照しつつ説明する。本実施形態のアルバムキット１は、印刷用紙３及び接着シール５を備えている。
【００１４】
印刷用紙３は、例えばＡ４サイズで、その両面がインクジェットプリンタによって印刷可能な印刷面となっている。
印刷用紙３の長手方向のほぼ中央部に短辺７とほぼ平行なミシン目９（本発明の切断可能線に相当する）が形成されており、このミシン目９から切り離すと、Ａ５サイズの用紙部１１（本発明の印刷用紙部に相当）を２枚分離できるようになっている。
【００１５】
また、各用紙部１１，１１には、これら用紙部１１，１１の長手方向のほぼ中央部に、これら用紙部１１，１１の短辺１３とほぼ平行に折り曲げ用のミシン目１５（本発明のガイド線に相当する）が形成されている。
また、各用紙部１１，１１には、折り曲げ用のミシン目１５に沿った長いスリット状の綴じ孔１７，１７（図２参照）を形成するための閉じたループ状のミシン目１９，１９（本発明の切断可能線に相当する）が設けられている。
このように綴じ孔１７，１７をミシン目１５（ガイド線）に沿って長いスリットとすると、綴じ孔１７，１７が目立たなくなり、アルバムの外観がよくなる。
【００１６】
ループ状のミシン目１９，１９を切り取ることにより形成される綴じ孔１７，１７は、図４に示すように各用紙部１１，１１を分離し、折り曲げた後に用紙部１１，１１の各辺がほぼ一致するように重ね合わせた状態で、互いにほぼ重なり合う位置に設けられている。
さらに、各用紙部１１，１１の両短辺１３付近の縁部には、折り曲げ用のミシン目１５とほぼ平行に切り離し可能な縁部ミシン目２１，２１（縁部切断可能線）が形成されている。
【００１７】
接着シール５は、その片面が接着性を有する接着層となったシールである。例えば、無色透明の樹脂製のフィルム状支持体の片面に無色透明の接着層を設けたものである。支持体、及び接着層をともに無色透明とすることで、完成したアルバム２３において接着シール５を目立たなくすることができ、良好な外観を保つことできる。また、アルバム２３において接着シール５の下となる位置に画像等が印刷されていたとしても、接着シール５を通して印刷画像等を見ることができる。なお、支持体は、無色透明に限らず、有色透明、有色不透明であってもよい。同様に接着層も無色透明に限らず、有色透明、有色不透明であってもよい。
【００１８】
また、接着シール５は、綴じ孔１７，１７にくぐらせることができるように、綴じ孔１７，１７より一回り小さく、また、その形状は、少なくとも一端が丸みを帯びた形状、例えば、円形となっている。このように丸みを持たせることによって、綴じ孔１７，１７にくぐらせ易くなる。
【００１９】
この接着シール５のうち一つは、アルバムの綴じ側と反対の開放側を閉じるための閉じ用接着シールとして用いられる。なお、接着シール５は、組み立て前には剥離紙６に剥離可能に接着している。
【００２０】
さて、次に本実施形態のアルバムキット１の使用方法、及び作用効果について説明する。まず、アルバムキット１を購入等した者は、画像等をインクジェットプリンタによって、印刷用紙３に印刷する。
次にミシン目９によって、各用紙部１１，１１に分離するとともに、ループ状のミシン目１９，１９を切り取り、綴じ孔１７，１７を形成する（図２参照）。そして、各用紙部１１，１１の折り曲げ用のミシン目１５によって折曲げる（図３参照）。続いて、各用紙部１１，１１を各辺がほぼ一致するように重ね合わせた冊子状態として、各用紙部１１，１１の綴じ孔１７，１７を互いにほぼ重ね合わせる（図４参照）。この重なった綴じ孔１７，１７に接着シール５，５をくぐらせて、接着シール５，５を冊子の内側となる用紙部１１（図５参照）、及び冊子の外側となる用紙部１１（図６参照）に接着させるとアルバム２３が完成する。
【００２１】
このように、本実施形態のアルバムキット１によれば、簡単にアルバム２３を組み立てることができる。
また、このように組み立てられたアルバム２３の一端側は、接着シール５によって綴じられているから、他の手段、例えば、紐や、ホッチキス等で綴じた場合よりも綴じ側が厚くなることはなく、アルバム２３自体がコンパクトとなる。
また、このアルバムキット１は、印刷用紙３以外には、接着シール５のみが必須の構成部材であり、台紙等を必要としないため、そのコストが低減される。
【００２２】
さらに、図７に示すように接着シール５によって、アルバム２３の綴じ側とは反対の開放側を閉じることもできる。なお、接着シール５は、組み立てられたアルバム２３の最も外側の用紙部１１の両端部であって、縁部ミシン目２１よりも、アルバム２３の綴じ側に対し外側に接着される。
このようにアルバム２３の開放側を閉じると、アルバム２３をコンパクトにまとめることができ、運搬等に便利である。
また、開放側を閉じた状態ではアルバム２３内部を容易に見ることはできないので、内容を秘密にできる。
【００２３】
以上説明したように開放側を閉じたアルバム２３は、コンパクトであり、かつ内容も秘密にできるため、図７に示すように宛先を記して、郵送する場合に非常に便利である。なお、１枚の印刷紙からなる通常のポストカードのようなものであれば、郵便局等において、他の葉書や封筒と擦れ合いその表面に傷が付く場合もあるが、図７のアルバム２３のように開放側を閉じておけば、内部の用紙部１１に傷が付くことを防止できる。また、郵送途中に、雨等の水滴が、直接、内部の用紙部１の画像に付着して、画像がにじむことも防止できる。
【００２４】
また、１枚の印刷紙からなる通常のポストカードでは、画像を印刷可能な面は一面しかないが、本実施形態のアルバム２３では複数面あるため、一度に送ることができる画像数が増える。
また、本実施形態では、接着シール５は、用紙部１１の縁部ミシン目２１よりも外側の部分に接着される。従って、接着シール５で開放側を閉じたアルバムであっても、図８に示すように縁部ミシン目２１から用紙部１１の縁部を切り離すと、縁部ミシン目２１より外側に接着され、開放側を閉じている接着シール５も一緒に切り離されることとなるから、閉じられた開放側を容易に再開放できる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００２６】
（１）上記実施形態では、Ａ４サイズの印刷用紙３について説明したが、印刷用紙３のサイズは特に限定されず、例えば、Ａ３、Ａ５、Ａ６、Ｂ４、Ｂ５等の用紙であってもよい。
【００２７】
（２）上記実施形態では、印刷用紙３は、２つの用紙部１１に分割されるものとしたが、印刷用紙３が分割される数は特に限定されず、３以上であってもよい。
【００２８】
（３）上記実施形態では、綴じ孔１７の数は、各用紙部１１に２ずつとしたが、特に限定されず、１つでも３つ以上であってもよい。また、綴じ孔１７の形状は細長状に限らず、どのような形状であってもよい。
【００２９】
（４）上記実施形態では、印刷用紙３は、その両面が印刷可能な印刷面となっているものとしたが、片面のみが印刷可能な印刷面となっているものでもよい。
【００３０】
（５）上記実施形態では、プリンタはインクジェットプリンタとしたが、特に限定されず、例えば熱転写型プリンタ、レーザプリンタも含まれる。
【００３１】
（６）上記実施形態では、各切断可能線として、ミシン目９，ミシン目１９，縁部ミシン目２１としたが、切断可能であればミシン目に限定されない。
【００３２】
（７）上記実施形態では、ガイド線は、ミシン目１５としたが、特に限定されず、例えば、プレスによる折り線（および折筋）であってもよい。
【００３３】
（８）上記実施形態では、ループ状のミシン目１９，１９を切り取って、綴じ孔１７，１７を形成することとしたが、予め綴じ孔１７，１７を形成した印刷用紙３としてもよい。この場合には、アルバムキット１の購入等をした者の綴じ孔１７，１７を形成する手間が省ける。
【００３４】
（９）上記実施形態では、接着シール５の形状は円形としたが、接着シール５の形状は特に限定されず、任意形状とすることができる。例えば、四角形、三角形等であってもよい。
【００３５】
（１０）なお、ループ状のミシン目１９，１９を形成した印刷用紙３を用いた本実施形態のアルバムキット１の組み立てにおいて、ループ状のミシン目１９，１９を切り取って、綴じ孔１７，１７を形成するタイミングは特に限定されない。すなわち、ミシン目９によって、各用紙部１１，１１に分離する前に綴じ孔１７，１７を形成してもよいし、各用紙部１１，１１に分離した後に、綴じ孔１７，１７を形成してもよい。
【図面の簡単な説明】
【図１】本発明の一実施形態に係るアルバムキットの平面図である。
【図２】各用紙部を分離した状態の平面図である。
【図３】各用紙部を折り曲げた状態の斜視図である。
【図４】各用紙部を重ねた状態（冊子状態）の斜視図である。
【図５】接着シールを接着した状態のアルバムを内側から見た斜視図である。
【図６】接着シールを接着した状態のアルバムを外側から見た斜視図である。
【図７】アルバムの一使用例を示す斜視図である。
【図８】アルバムの閉じられた側を再開放する場合の斜視図である。
【符号の説明】
１…アルバムキット
３…印刷用紙
５…接着シール
６…剥離紙
７…印刷用紙の短辺
９…ミシン目（切断可能線）
１１…用紙部
１３…用紙部の短辺
１５…折り曲げ用ミシン目（ガイド線）
１７…綴じ孔
１９…ループ状のミシン目（切断可能線）
２１…縁部ミシン目（縁部切断可能線）
２３…アルバム
【図１】
2004314324.tif 000003
【図２】
2004314324.tif 000004
【図３】
2004314324.tif 000005
【図４】
2004314324.tif 000006
【図５】
2004314324.tif 000007
【図６】
2004314324.tif 000008
【図７】
2004314324.tif 000009
【図８】
2004314324.tif 000010